(57)【要約】【課題】  印刷指示の簡便さとＤＰＯＦの利便性を兼ね備えた印刷指示情報ファイル作成装置、及びその方法を提供する。【解決手段】サムネイル画像と印刷指示を示す印刷指示マークが印刷された印刷指示票を読み込んで、印刷指示票に記された印刷指示マークと画像ファイルを対応づけて印刷指示情報ファイルを作成する手段を備える。【選択図】  図１
2005174086.tif 000002
【特許請求の範囲】
【請求項１】
サムネイル画像と印刷指示を示す印刷指示マークが印刷された印刷指示票を読み込んで、印刷指示票に記された印刷指示マークと画像ファイルを対応づけて印刷指示情報ファイルを作成する手段を有することを特徴とする印刷指示情報ファイル作成装置。
【請求項２】
サムネイル画像と印刷指示を示す印刷指示マークを含む印刷指示票を印刷する手段と、前記印刷指示票を読み込んで、印刷指示票に記された印刷指示マークと画像ファイルを対応づけて印刷指示情報ファイルを作成する手段とを有することを特徴とする印刷指示情報ファイル作成装置。
【請求項３】
記録媒体に格納された画像と印刷指示情報ファイルを読み込む手段と、前記画像に対応したサムネイル画像と印刷指示情報を示す印刷指示マークを含む印刷指示票を印刷する手段と、前記印刷指示票を読み込んで、前記印刷指示票に記された印刷指示マークと画像ファイルを対応づけて印刷指示情報ファイル更新する手段とを有することを特徴とする印刷指示情報ファイル作成装置。
【請求項４】
前記印刷指示マークは、設定状況と前記設定状況を修正する指示を含むことを特徴とする請求項１記載の印刷指示情報ファイル作成装置。
【請求項５】
前記印刷指示情報は、画像の印刷するか否かの情報と印刷枚数の情報とを含み、ＤＰＯＦ規格に準拠した画像ファイルを作成する場合に適用可能であることを特徴とする請求項１記載の印刷指示情報ファイル作成装置。
【請求項６】
印刷指示情報を作成する印刷情報ファイル作成装置に適用される印刷指示情報作成方法であって、印刷されたサムネイル画像とその画像に対応した印刷指示のための印刷指示を読み取るステップと、印刷制御のための情報ファイルを作成するステップとを有することを特徴とする印刷指示情報ファイル作成方法。
【請求項７】
印刷指示情報を作成する印刷情報ファイル作成装置に適用される印刷指示情報作成方法を実行するプログラムを記憶したコンピュータにより読み出し可能な記憶媒体であって、印刷されたサムネイル画像とその画像に対応した印刷指示のための印刷指示を読み取るステップと、印刷制御のための情報ファイルを作成するステップとを有することを特徴とする記憶媒体。
【発明の詳細な説明】
【技術分野】
【０００１】
本発明は、例えばデジタルカメラで用いられる画像ファイルを作成する印刷情報作成装置、印刷情報作成方法及び記憶媒体に関し、特に、ＤＰＯＦ規格（Digital Print Order Format）に準拠した画像ファイルを作成する場合に好適な印刷情報作成装置、印刷情報作成方法及び記憶媒体に関する。
【背景技術】
【０００２】
従来、デジタルカメラで撮影した画像は、通常、定められた規格に基づいてメモリカードなどの媒体に格納されている。
【０００３】
デジタルカメラで撮影した画像を効率よく印刷するための規格としてＤＰＯＦが普及している。
【０００４】
この規格は、デジタルカメラで撮影された画像を格納する際、その画像を印刷する時に必要な様々な情報を同時に収めておくためのファイルフォーマットについて定めている。
【０００５】
ＤＰＯＦ規格に準拠したデジタルカメラでは、これらの情報を作成するためのユーザインタフェイスを備えており、ユーザはそれを用いて、どの画像を印刷するかの情報を蓄えておくことが可能となっている。
【０００６】
例えば、第８図はデジタルカメラのＬＣＤなどの表示装置にＤＰＯＦ設定画面を常時したものである。サムネイル画像と重ねて“Ｄ”を表示している画像が印刷対象である。
【０００７】
しかしながら、ＤＰＯＦ作成処理は、デジタルカメラに内蔵されたＬＣＤなどの表示装置と、幾つかの操作ボタンなど、非常に限られたインターフェイスを介して行われていたため、かなり複雑で効率の悪い方法となっていた。
【０００８】
そこで、特許文献１のように音声で印刷支持を入力する方法が提案されているが、音声を発するには抵抗がある場所では使いにくい。
【０００９】
また、製品として、さまざまな言語で使用できるように使用する場合は、複数の言語に対応した音声認識手段を製品に搭載しなければならず、本体の処理負荷が大きくなってしまう欠点がある。
【００１０】
一方で特許文献２のように、ＤＰＯＦファイルを使用せずに、サムネイル画像を紙に印刷して所望の画像に対応する印刷指示マーク読み取る印刷装置の提案もされている。
【特許文献１】特開２００１―９４９０９号公報
【特許文献２】特開２００２−５１２８３号公報
【発明の開示】
【発明が解決しようとする課題】
【００１１】
しかしながら、上記特許文献２は、画像を印刷装置で印刷する場合には便利ではあるが、印刷装置以外では印刷できない課題を有している。
【００１２】
例えば、気に入った画像をより高画質印刷をしたい場合や印刷装置では印刷できないような大きな紙や特殊な媒体に印刷したい場合に専門のプリント店などに画像ファイルを持ち込む場合が考えられる。
【００１３】
しかしプリント店では一般的にＤＰＯＦファイルでの印刷注文を受け付けている。或いは、プリント店指定の印刷注文用紙に印刷して欲しい画像のファイル番号と枚数などを書いて注文しなければならない。
【００１４】
実際の店ではなく、インターネット上のオンラインで受け付ける印刷サービスでも同様で、ＤＰＯＦファイルを転送するか、オンライン画面上の指定の書式に従って印刷を指示する。
【００１５】
これらの状況では、デジタルカメラの使いにくい操作でＤＰＯＦファイルを作成するか、指定の印刷注文の書式に従って印刷指示をしなければならない。
【００１６】
よって、結局、操作が面倒だったり、慣れないプリント店独自の書式だったりして印刷指示を間違ってしまうなどの問題がある。
【００１７】
本発明は上述した点に鑑みなされたものであり、特許文献２提案の印刷指示の簡便さとＤＰＯＦの利便性を兼ね備えた印刷指示情報ファイル作成装置、及びその方法を提供することを目的とする。
【課題を解決するための手段】
【００１８】
上記課題を解決するため、本発明では以下のように構成している。
【００１９】
即ち、請求項１記載の印刷指示情報ファイル作成装置は、サムネイル画像と印刷指示を示す印刷指示マークが印刷された印刷指示票を読み込んで、印刷指示票に記された印刷指示マークと画像ファイルを対応づけて印刷指示情報ファイルを作成する手段を有することを特徴とする
また、請求項２記載の印刷指示情報ファイル作成装置は、サムネイル画像と印刷指示を示す印刷指示マークを含む印刷指示票を印刷する手段と、前記印刷指示票を読み込んで、印刷指示票に記された印刷指示マークと画像ファイルを対応づけて印刷指示情報ファイルを作成する手段とを有することを特徴とする
また、請求項３記載の印刷指示情報ファイル作成装置は、記録媒体に格納された画像と印刷指示情報ファイルを読み込む手段と、前記画像に対応したサムネイル画像と印刷指示情報を示す印刷指示マークを含む印刷指示票を印刷する手段と、前記印刷指示票を読み込んで、前記印刷指示票に記された印刷指示マークと画像ファイルを対応づけて印刷指示情報ファイル更新する手段とを有することを特徴とする。
【００２０】
また、請求項１記載の印刷指示情報ファイル作成装置において、前記印刷指示マークは、設定状況と前記設定状況を修正する指示を含むことを特徴とする。
【００２１】
また、請求項１記載の印刷指示情報ファイル作成装置において、前記印刷指示情報は、画像の印刷するか否かの情報と印刷枚数の情報とを含み、ＤＰＯＦ規格に準拠した画像ファイルを作成する場合に適用可能であることを特徴とする。
【００２２】
また、請求項６記載の印刷情報指示ファイル作成方法は、印刷指示情報を作成する印刷情報ファイル作成装置に適用される印刷指示情報作成方法であって、印刷されたサムネイル画像とその画像に対応した印刷指示のための印刷指示を読み取るステップと、印刷制御のための情報ファイルを作成するステップとを有することを特徴とする。
【００２３】
また、請求項７記載の記憶媒体は、印刷指示情報を作成する印刷指示情報ファイル作成装置に適用される印刷指示情報作成方法を実行するプログラムを記憶したコンピュータにより読み出し可能な記憶媒体であって、印刷されたサムネイル画像とその画像に対応した印刷指示のための印刷指示を読み取るステップと、印刷制御のための情報ファイルを作成するステップとを有することを特徴とする。
【発明の効果】
【００２４】
本発明の請求項１の印刷指示情報ファイル作成装置によれば、サムネイル画像と印刷指示を示す印刷指示マークが印刷された印刷指示票を読み込んで、印刷指示票に記された印刷指示マークと画像ファイルを対応づけて印刷指示情報ファイルが作成される。
【００２５】
従って、紙上で画像を見ながら印刷指示できるという直感的にわかりやすい操作
で印刷指示情報ファイルの作成も容易にすることが可能となる。これにより印刷指示情報ファイルを読み込むことが可能な一般的なプリント店や他の印刷装置への印刷指示を容易に実現できるという効果がある。
【００２６】
さらに、請求項２の印刷指示情報ファイル作成装置によれば、請求項１記載の印刷指示情報ファイル作成装置の利点に加え、印刷指示票も本体で印刷できるという利便性を兼ね備えることができるという効果がある。
【００２７】
さらに、請求項３の印刷指示情報ファイル作成装置によれば、予め印刷指示情報ファイルが存在する場合にも支障なく上記請求項２記載の印刷指示情報ファイル作成装置の利点を実現可能で、しかも既に存在する印刷指示情報ファイルの印刷指示状況を確認することが可能で、
さらに、請求項４の印刷指示情報ファイル作成装置によれば、請求項３記載の印刷指示情報ファイル作成装置の利点に加え、予め印刷指示情報ファイルによる印刷指示及び印刷指示の修正を加えることができることで、より一層利便性が高まるという効果がある。
【００２８】
さらに、請求項５の印刷指示情報ファイル作成装置によれば、印刷指示情報をデジタルカメラなどで普及したＤＰＯＦ規格に準拠したものとすることで、より一般的なデジタルカメラやプリント店や印刷装置との互換性が高まるという効果がある。
【００２９】
さらに、請求項６の印刷指示情報ファイル作成方法によれば、紙上で画像を見ながら印刷指示できるという直感的にわかりやすい操作の印刷指示情報ファイルの作成装置を提供できる実現できるという効果がある。
【００３０】
さらに、請求項７の記憶媒体によれば、紙上で画像を見ながら印刷指示できるという直感的にわかりやすい操作の印刷指示情報ファイルの作成方法をより多くの装置に組み込むことができるという効果がある。
【発明を実施するための最良の形態】
【００３１】
以下に本発明の実施例について説明する。
【実施例１】
【００３２】
以下に、本発明の第１の実施例を図１〜図６に基づき説明する。
【００３３】
図１は、本発明の第１の実施例に係る印刷指示情報ファイル作成装置の概観図であり、図２は概略構成図である。図１と図２では同一部材に同じ番号を付与している。１００は印刷指示情報ファイル作成装置本体、１０５は操作部、１０６は本体の動作状況などを示す表示部、１２０は用紙挿入部、１２１は用紙排出部、１２２はローラ等で構成される用紙送り機構、１３０はＰＣ（コンピュータ等）であり、１３１はＰＣ１３０と印刷指示情報ファイル作成装置本体１００を接続してデータの転送を行うＵＳＢケーブル、１４０は画像データやＤＰＯＦ情報が記録されたメモリカードである。
【００３４】
図３はサムネイル画像と印刷指示マークが付与された画像印刷指示票の例である。ここでサムネイル画像とは、記録媒体に記録されているファイルごとに代表となるような、例えば静止画等による代表画面を１画面内において通常よりも縮小した形態で表示した画像のことをいう。
【００３５】
図１、図２に示す印刷指示情報ファイル作成装置は図３のような画像印刷指示票を読みとってＤＰＯＦファイルを作成するものである。マークの意味などの印刷指示票の詳細は後に説明する。
【００３６】
ＤＰＯＦファイルの詳細はＤＰＯＦ規格書で記載されているのでここでは省くが、下記例で簡単に内容を説明する。
【００３７】
下記はＤＰＯＦファイルの主要な記載部分の例である。
【００３８】
[JOB]
PRT PID = 001
PRT TYP = STD
PRT QTY = 001
IMG FMT = EXIF2 -J
<IMG SRC = "../DCIM/111ABC/IMG_1139.JPG">
[JOB]
PRT PID = 002
PRT TYP = STD
PRT QTY = 001
IMG FMT = EXIF2 -J
<IMG SRC = "../DCIM/111 ABC/IMG_1141.JPG">
【００３９】
この例では、カードに記録された複数の画像ファイル中、「IMG SRC」で指定されたファイル"../DCIM/111ABC/IMG_1139.JPG"と"../DCIM/111 ABC/IMG_1141.JPG"を１枚（PRT QTY = 001）ずつ印刷することが指示されている。
【００４０】
次に図４で印刷指示情報ファイル作成装置本体１００の内部制御回路ブロックを示す。１０１は印刷指示情報ファイル作成装置の動作を制御するＣＰＵ、１０２はＣＰＵ１０１の動作プログラムコードを記憶するＦＬＡＳＨ−ＲＯＭメモリ、１０３はＣＰＵ１０１のワークエリアとなるＤＲＡＭ、１０４はＪＰＥＧなどのデータ圧縮された画像データを伸張（解凍）するための画像処理、さらには印刷のための色変換や画像の解像度変換、輪郭処理など画像印刷に必要な種々の画像処理を行うための画像処理部、１０５はユーザは動作を操作するためのスイッチなどから構成される操作部、１０６は本体の動作状況やユーザの操作状況などを表示するための液晶パネルなどの表示部、１０７はＰＣ１３０とデータ転送のためのＵＳＢなどの通信インターフェイス部、１０８はメモリカード１４０を制御するためのカードインターフェイス部、１０９は印字ヘッド送りための駆動回路、１１０は印字ヘッドと一体となったマーキング読み取り部、１１１は印刷データを印字ヘッド１０９に送出するための印字ヘッドインターフェイス部、１１２は印刷用紙を送るための駆動回路である。
【００４１】
次に印刷指示情報ファイル作成装置本体１００の動作の概略の動作シーケンスについて図５にて説明する。
【００４２】
はじめにユーザがメモリカードを挿入する。この例ではメモリカードには、予めデジタルカメラで撮影された複数の画像ファイルがメモリカードに存在しているものとする。
【００４３】
印刷指示情報ファイル作成装置本体１００はメモリカードのデータを読み込んで（Ｓ５００）、動作モード選択のためのメニュー画面(図６参照)を表示する（Ｓ５０１）。(ここはボタンでも良い)。
【００４４】
つまり印刷指示情報ファイル作成装置本体１００のＣＰＵ１０１はカードインターフェイス１０９を介してカードから画像データを読み込む。ここではデジタルカメラのフォーマット規格ＤＣＦに準拠した画像データを想定している。ＤＣＦに準拠した画像データは画像本体と画像本体より小さな所謂サムネイル画像を記憶している。このＳ５００ではカード内のサムネイル画像データを複数毎読み込んでワークメモリ１０３に記憶しておく。
【００４５】
まず、ユーザは第１のステップとして、操作キー１０５で印刷指示票印刷を選択する。印刷指示情報ファイル作成装置本体１００は、Ｓ５０２の判断を経てＳ５０６で印刷指示票印刷動作モードを実行し、印刷指示票を印刷する。
【００４６】
つまりＳ５００でＤＲＡＭ１０３に記憶した複数のサムネイル画像データを画像処理部１０４にてＪＰＥＧ解凍(伸張)し、解像度変換、印刷のための色変換などを施しサムネイルのインデックス画像印刷データを作成する。
【００４７】
それに印刷チェック欄を加え、図３で示したような印刷指示票データを作成し、印字ヘッド送り駆動部１０９及び紙送り駆動部１１２を制御しながら、印字ヘッド１１１へデータを送出し印刷する。印刷を終了するとメニュー選択画面表示（Ｓ５０１）に戻る。
【００４８】
ここで、ユーザは印刷指示票に印刷したい画像に対応するチェック欄にマークをする。図３のようにチェック欄を黒く塗りつぶした状態にあるとその上の画像を印刷される。チェック欄にマークした印刷指示票を本体の用紙挿入部に挿入する。
【００４９】
次にユーザは第２のステップとして、メニュー選択画面で印刷指示票の読み込みを選択する。印刷指示情報ファイル作成装置本体１００はＳ５０２、５０３の判断を経て印刷支持票の用紙を本体に取り込んで（Ｓ５０７）、マークされたチェック欄と画像ファイルとの対応づけを行い、仮のＤＰＯＦ情報としてワークメモリ１０３上に記憶する。そしてメニュー画面表示（Ｓ５０１）に戻る。
【００５０】
印刷指示票の読み込み時は、印刷時と同様に印字ヘッド送り駆動部１０９及び紙送り駆動部１１２を制御しながら、印字ヘッド１０９と一体になったマーキング読み取り部１１０でチェック欄が黒く塗りつぶされているかどうかを判断する。これは従来からのマークシートリーダなど紙の反射率を検知するセンサやＣＣＤなど既存のセンサ手段と同様な手段である。
【００５１】
ＣＰＵ１０１は印字ヘッド部１０９の駆動位置からチェック欄と画像との対応が判断できる。
【００５２】
そして、ユーザは第３のステップとしてメニュー選択画面にて画像印刷を選択する。印刷指示情報ファイル作成装置本体１００はＳ５０２、５０３、５０４の判断を経て、仮の印刷指示情報ファイル情報を元に指示された画像を印刷する（Ｓ５０８）。指示された全ての画像を印刷し終わるとメニュー画面表示（Ｓ５０１）にもどる。ここでは、指示された画像の本体画像データをカード１４０から読みこんで、画像処理部１０４でＪＰＥＧ解凍(伸張)し、解像度変換、印刷のための色変換などを施して用紙に印刷を行う。
【００５３】
さらに、ユーザーは第４のステップとしてメニュー画面で印刷指示情報ファイル作成を選択する。
【００５４】
本体はＳ５０２、５０３、５０４、５０５の判断を経て、先にワークメモリ１０３に記憶した仮の印刷指示情報ファイル情報を読み出し、ＤＰＯＦ規格に準じた書式の印刷指示情報ファイルファイルを作成しこれをメモリカード１４０に転送する（Ｓ５０９）。メモリカード１４０への書き込み終了後は、メニュー画面表示（Ｓ５０１）に戻る。
【００５５】
上記概略動作の説明で、第３のステップでの選択処理と第４のステップでの選択処理を逆に選択しても良い。つまり第３のステップで先にＤＰＯＦファイルを作成し、第４のステップで画像を印刷しても良い。
【００５６】
また、本発明はＤＰＯＦファイルを作成したくない場合も操作が容易である。
【００５７】
つまり（概略の動作シーケンス）の第３のステップで画像印刷を実行後、ＤＰＯＦファイルの作成が不要であれば、ＤＰＯＦファイルの作成は選択せず、メニューから抜ければ良い。メニューから抜けるにはＱｕｉｔを選択すれば良い。
【実施例２】
【００５８】
続いて、本発明の第２の実施例を図７に基づき説明する
上記第１の実施例は、始めの状態でカードには画像データのみで印刷指示情報ファイルがない場合である。通常の使用では、デジタルカメラなどでＤＰＯＦが設定されたカードが本体に装着されることも考えられる。
【００５９】
動作シーケンスは、第１の実施例との概略同様であるが、違いについて述べる。
【００６０】
Ｓ５００で画像のサムネイルとともにＤＰＯＦファイルも読み込む点が第１の実施例と異なる。そして、Ｓ５０６では、第１の実施例での図３の例に対して、図７のようにチェック欄を追加している。
【００６１】
図７で画像番号４の部分で説明すると、チェック欄Ｃ２の文字「ＤＰＯＦ」の部分の「□」は既にＤＰＯＦファイルで設定されている第１の印刷指示状況を示す。  
【００６２】
つまり、チェック欄Ｃ２が黒くマーキングされている画像は、ＤＰＯＦで既に印刷指示が設定されていることを示す。
【００６３】
チェック欄Ｃ３の文字「Ｃ」の部分「□」は第１の印刷指示を無効状態を示し、「■」にすることで無効(キャンセル)を示す。
【００６４】
チェック欄Ｃ１の文字「ＰＲＩＮＴ」の部分の「□」は、新たに第２の印刷指示を意味する。ここを「■」にすることで、印刷指示を示す。
【００６５】
以下に全ての状態を記載する。
【００６６】
Ｃ１「□」、Ｃ２「□」，Ｃ３「□」の状態は、第１の印刷指示は印刷しない、第２の印刷指示は印刷しないとなる。
【００６７】
Ｃ１「□」、Ｃ２「□」、Ｃ３「■」の状態は、第１の印刷指示は印刷しない、第２の印刷指示は印刷しないとなる。
【００６８】
Ｃ１「□」、Ｃ２「■」、Ｃ３「□」の状態は、第１の印刷指示は印刷する、第２の印刷指示は印刷するとなる。
【００６９】
Ｃ１「□」、Ｃ２「■」、Ｃ３「■」の状態は、第１の印刷指示は印刷する、第２の印刷指示は印刷しないとなる。
【００７０】
Ｃ１「■」、Ｃ２「□」、Ｃ３「□」の状態は、第１の印刷指示は印刷しない、第２の印刷指示は印刷するとなる。
【００７１】
Ｃ１「■」、Ｃ２「□」、Ｃ３「■」の状態は、第１の印刷指示は印刷しない、第２の印刷指示は印刷するとなる。
【００７２】
Ｃ１「■」、Ｃ２「■」、Ｃ３「□」の状態は、第１の印刷指示は印刷する、第２の印刷指示は印刷するとなる。
【００７３】
Ｃ１「■」、Ｃ２「■」、Ｃ３「■」の状態は、第１の印刷指示は印刷する、第２の印刷指示は印刷するとなる。
【００７４】
以降の処理は第１の実施例と同様に、この指示表を読み込んで所望の画像を印刷し、印刷指示情報ファイルファイルは新たな指示に従って作成し直される。
【００７５】
以上、上記実施例以外にも、複数の機器から構成されるシステムに適用しても、１つの機器からなる装置に適用してもよい。
【００７６】
例えば、印刷部を通常のプリンタとして独立した構成とし、本体とプリンタは別途接続手段で通信するようにしても良い。さらに指示表の読み取り手段に関しては、スキャナなどを用いても良い。
【００７７】
また、前述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００７８】
この場合、記憶媒体から読み出されたプログラムコード自体が前述した実施形態の機能を実現することになり、そのプログラムコードを記憶した記憶媒体は本発明を構成することになる。
【００７９】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００８０】
また、コンピュータが読出したプログラムコードを実行することにより、前述した実施形態の機能が実現されるだけでなく、そのプログラムコードの指示に基づき、コンピュータ上で稼働しているＯＳなどが実際の処理の一部または全部を行い、
その処理によって前述した実施形態の機能が実現される場合も含まれることは言うまでもない。
【００８１】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００８２】
【図１】本発明の第１の実施例に係る印刷指示情報ファイル作成装置の概観図である。
【図２】図１の印刷指示情報ファイル作成装置に係る概略構成図である。
【図３】本発明の第１の実施例に係るサムネイル画像と印刷指示マークが付与された画像印刷指示票例である。
【図４】本発明の第１の実施例に係る印刷指示情報ファイル作成装置本体の内部制御回路ブロックである。
【図５】本発明の第１の実施例に係る印刷指示情報ファイル作成装置の動作の概略の動作シーケンスを示すフローチャートである。
【図６】本発明の第１の実施例に係る動作モード選択のためのメニュー画面例である
【図７】本発明の第２の実施例に係るサムネイル画像と印刷指示マークが付与された画像印刷指示票例である。
【図８】従来のデジタルカメラのＬＣＤなどの表示装置にＤＰＯＦ設定画面を常時した図である。
【符号の説明】
【００８３】
１００        印刷指示情報ファイル作成装置本体
１０１        ＣＰＵ
１０２        ＦＬＡＳＨ−ＲＯＭメモリ
１０３        ＤＲＡＭ
１０４        画像処理部
１０５        操作部
１０６        表示部
１０７        通信インターフェイス部
１０８        カードインターフェイス部
１０９        駆動回路
１１０        マーキング読み取り部
１１１        印字ヘッドインターフェイス部
１１２        （印刷用紙を送るための）駆動回路
１２０        用紙挿入部
１２１        用紙排出部
１２２        用紙送り機構
１３０        ＰＣ（コンピュータ）
１３１        ＵＳＢケーブル
１４０        メモリカード
【図１】
2005174086.tif 000003
【図２】
2005174086.tif 000004
【図３】
2005174086.tif 000005
【図４】
2005174086.tif 000006
【図５】
2005174086.tif 000007
【図６】
2005174086.tif 000008
【図７】
2005174086.tif 000009
【図８】
2005174086.tif 000010